(57)【要約】【課題】  エレベータの移動作業床の外側にガイドレールを複数本搭載可能とし、ガイドレール取付場所とガイドレール仮置き場所との間の運転回数を少なくし、且つガイドレール吊り上げ回数を少なくするとともに、昇降路内構造物にガイドレールがぶつからないようにしたエレベータのガイドレール搭載用移動作業床を得る。【解決手段】エレベータかご枠１に設けられた下部移動作業床４と、下部移動作業床の外側に設けられ、ガイドレール１４の下端部を載置するガイドレール載置台８と、下部移動作業床の上方に設けられた上部移動作業床６と、上部移動作業床の外側に設けられ、ガイドレール１４の中間部を収納するガイドレール受け入れ枠９とを備える。【選択図】    図１
2005178948.tif 000002
【特許請求の範囲】
【請求項１】
エレベータかご枠に設けられた下部移動作業床と、
前記下部移動作業床の外側に設けられ、ガイドレールの下端部を載置するガイドレール載置台と、
前記下部移動作業床の上方に設けられた上部移動作業床と、
前記上部移動作業床の外側に設けられ、ガイドレールの中間部を収納するガイドレール受け入れ枠と、
を備えたことを特徴とするエレベータのガイドレール搭載用移動作業床。
【請求項２】
エレベータかご枠に設けられた移動作業床と、
前記移動作業床の外側に設けられ、ガイドレールの下端部を載置するガイドレール載置台と、
前記移動作業床の上方に設けられた保護天井と、
前記保護天井の外側に設けられ、ガイドレールの中間部を収納するガイドレール受け入れ枠と、
を備えたことを特徴とするエレベータのガイドレール搭載用移動作業床。
【請求項３】
ガイドレール受け入れ枠の一部は、ガイドレールの装着時には開放され、ガイドレールの搭載後に閉成固定されることを特徴とする請求項１又は請求項２記載のエレベータのガイドレール搭載用移動作業床。
【請求項４】
ガイドレール載置台及びガイドレール受け入れ枠をそれぞれ複数設けたことを特徴とする請求項１〜請求項３のいずれかに記載のエレベータのガイドレール搭載用移動作業床。
【発明の詳細な説明】
【技術分野】
【０００１】
この発明は、ガイドレールの取り付け、取り外しを行う際に用いられるエレベータのガイドレール搭載用移動作業床に関するものである。
【背景技術】
【０００２】
従来のエレベータガイドレールの敷設方法においては、ガイドレールを１本づつ昇降路壁面に取り付けたり、取り外したりしていたため、ガイドレールをウインチで１本づつ持ち上げたり、降ろしたりしていた。
また、他の従来技術としては、エレベータのガイドレール敷設に掛かる作業費の低減を図れるとともに、作業効率を向上できるようにしたエレベータのガイドレール敷設方法（例えば、特許文献１参照）や、昇降路内へのガイドレールの搬入が乗場出入口から簡便にできて、そのガイドレールを乗場出入口近傍で楽に且つ安全に吊り下げながら連結して行く作業を支援できるエレベータ用ガイドレール付設作業支援装置（例えば、特許文献２参照）がある。
【０００３】
【特許文献１】特開２０００−２３３８８０号公報
【特許文献２】特開平５−３３０７５８号公報
【発明の開示】
【発明が解決しようとする課題】
【０００４】
従来のエレベータガイドレールの敷設方法では、ガイドレールをウインチで１本づつ持ち上げたり、降ろしたりしていたので、据付作業に時間がかかり過ぎていた。
また、特許文献１、２に記載のものは、エレベータの移動作業床を利用するものではないため、昇降路に作業足場を設置したり、ガイドレール付設作業支援装置を用意しなければならないという問題があった。
【０００５】
この発明は、上述のような課題を解決するためになされたもので、第１の目的は、エレベータの移動作業床の外側にガイドレールを複数本搭載可能とし、ガイドレール取付場所とガイドレール仮置き場所との間の運転回数を少なくし、且つガイドレール吊り上げ回数を少なくするとともに、昇降路内構造物にガイドレールがぶつからないようにしたエレベータのガイドレール搭載用移動作業床を提供するものである。
【課題を解決するための手段】
【０００６】
この発明に係るエレベータのガイドレール搭載用移動作業床は、エレベータかご枠に設けられた下部移動作業床と、下部移動作業床の外側に設けられ、ガイドレールの下端部を載置するガイドレール載置台と、下部移動作業床の上方に設けられた上部移動作業床と、上部移動作業床の外側に設けられ、ガイドレールの中間部を収納するガイドレール受け入れ枠とを備えたものである。
【０００７】
また、エレベータかご枠に設けられた移動作業床と、移動作業床の外側に設けられ、ガイドレールの下端部を載置するガイドレール載置台と、移動作業床の上方に設けられた保護天井と、保護天井の外側に設けられ、ガイドレールの中間部を収納するガイドレール受け入れ枠とを備えたものである。
【発明の効果】
【０００８】
この発明は、エレベータかご枠に設けられた下部移動作業床と、下部移動作業床の外側に設けられ、ガイドレールの下端部を載置するガイドレール載置台と、下部移動作業床の上方に設けられた上部移動作業床と、上部移動作業床の外側に設けられ、ガイドレールの中間部を収納するガイドレール受け入れ枠とを備えたので、エレベータの移動作業床の外側にガイドレールを複数本搭載可能とし、ガイドレール取付場所とガイドレール仮置き場所との間の運転回数を少なくし、且つガイドレール吊り上げ回数を少なくし、据付作業時間を短縮することができる。また、昇降路内構造物にガイドレールがぶつからないという効果がある。
【発明を実施するための最良の形態】
【０００９】
実施の形態１．
図１はこの発明の実施の形態１におけるエレベータのガイドレール搭載用移動作業床の構成を示す斜視図、図２はこの発明の実施の形態１におけるガイドレール搭載用移動作業床の上部外側に設けたガイドレール受け入れ枠の構成を示す斜視図である。
【００１０】
図１において、１はエレベータかご枠で、左右に縦方向に対向して設けられた立枠２と、この立枠２間の上下部に架設された横枠３とで口字状に構成されている。４は左右の立枠２間の下部で且つ下部横枠３上に設けられた下部移動作業床、５はこの下部移動作業床４の周囲に立設された柵等からなる下部囲い、６は左右の立枠２間の上部で且つ上部横枠３上に設けられた保護天井を兼ねる上部移動作業床、７は上部移動作業床６の周囲に立設された柵等からなる上部囲い、８は下部移動作業床４の外側に突出して設けられた４個のガイドレール載置台で、周縁部を高くしてガイドレールが外れないようにしている。９はこのガイドレール載置台８の上方に位置するように上部移動作業床６の外側に突出して設けられたほぼＵ字状のガイドレール受け入れ枠である。このガイドレール受け入れ枠９は、外側に位置する外側板部９ａが、その一端部を蝶番１０により図２の鎖線に示すように回動可能に取り付けられており、ガイドレール受け入れ枠９の一部を開放できるような構成となっている。また、外側板部９ａの中央部は回転軸１１により他端側が上方に回動可能な構成になっている。更に外側板部９ａの他端自由端側の下部にはガイドレール受け入れ枠９の側板に設けられた係止部１２に対し上方から落ち込んで嵌り込む切り欠き溝１３が設けられている。１４は下部移動作業床４の外側のガイドレール載置台８上に下端部が載置されたガイドレールで、その上方の中間部は上部移動作業床６の外側のガイドレール受け入れ枠９の開放部から受け入れ枠内に受け入れられ装着されるものである。そして、このガイドレール１４は、その下端部が下部移動作業床４の外側のガイドレール載置台８に安定した状態で保持され、上端部が上部移動作業床６の外側のガイドレール受け入れ枠９から上方に突出して配置され、且つその中間部がガイドレール受け入れ枠９に当接して、その動きを規制されているのである。したがって、ガイドレール１４を搭載した上下移動作業床４、６が昇降路内を昇降する際に、ガイドレール１４が昇降路内構造物にぶつかることがない。なお、図中、１５はかご枠１の上部に設けられた吊り下げロープである。
【００１１】
このように構成されたエレベータのガイドレール搭載用移動作業床においては、ガイドレールを取り付けのために搭載する時は、上下移動作業床４、６を昇降路内下部まで下降させ、例えば、最下階の乗場出入口（図示せず）より、ガイドレール１４の下端部を、下部移動作業床４の外側のガイドレール載置台８に載置した上で、上部移動作業床６の外側のガイドレール受け入れ枠９の外側板部９ａを図２の鎖線の如く開放した状態で、ガイドレール１４の中間部をガイドレール受け入れ枠９の開放部から押し入れた後、外側板部９ａを回動させて図２の実線の如く閉成した状態とし、更に外側板部９ａの他端自由端側を中央の回転軸１１を中心として、図２の鎖線の状態から実線の状態まで回動させ、ガイドレール受け入れ枠９の側板に設けられた係止部１２に対し、切り欠き溝１３が上方から落ち込んで嵌り込み、固定されるようにする。この時、ガイドレール１４の上端部は、その中間部がガイドレール受け入れ枠９の周縁部に当接して、その動きを規制されているので、ガイドレール１４が昇降路内構造物にぶつかることがない。この状態で上下移動作業床４、６を上昇させて、ガイドレール１４を昇降路の取り付け場所まで運ぶことができる。
また、ガイドレール１４を取り外す時は、上下移動作業床４、６を昇降路のガイドレール取り外し場所まで吊り上げ、各ガイドレール１４を取り外した後、ガイドレール１４を上記と同様の要領で上下移動作業床４、６に搭載した上で、昇降路底部まで下降し、ガイドレール１４を仮置き場所に降ろすことになる。
【００１２】
実施の形態２．
上記実施の形態１では、上部囲い７を立設した保護天井を兼ねる上部移動作業床６にガイドレール受け入れ枠９を突出して設けたが、上部移動作業床６が不要であれば、上部囲い７がなく、しかも作業者が乗らない保護天井の外側に、ガイドレール受け入れ枠９を突出して設けたものであっても、実施の形態１と同様の効果が得られる。
【図面の簡単な説明】
【００１３】
【図１】この発明の実施の形態１におけるエレベータのガイドレール搭載用移動作業床の構成を示す斜視図である。
【図２】はこの発明の実施の形態１におけるガイドレール搭載用移動作業床の上部外側に設けたガイドレール受け入れ枠の構成を示す斜視図である。
【符号の説明】
【００１４】
１  エレベータかご枠
２  立枠
３  横枠
４  下部移動作業床
５  下部囲い（柵）
６  上部移動作業床（保護天井）
７  上部囲い（柵）
８  ガイドレール載置台  
９  ガイドレール受け入れ枠  
１０  蝶番  
１１  回転軸  
１２  係止部  
１３  切り欠き溝  
１４  ガイドレール  
１５  吊り下げロープ
【図１】
2005178948.tif 000003
【図２】
2005178948.tif 000004